(57)【要約】      （修正有）【課題】樹木の根元の周囲の縁石に載置した保護盤がずり落ちないようにする。【解決手段】下方周縁に、段部５の壁面と突部６との間隔に挿入しうる厚みの突縁９を設け、全ての縁石の段部の棚面に突縁９を載置し、段部の棚面に突部を設けた縁石においては、段部５の壁面と突部６との間に挿入し、その間の棚面５に突縁９を載置して支持される保護盤７。【選択図】図３
0003111881.tif 000002
【実用新案登録請求の範囲】
【請求項１】
歩道の側部または広場の周縁部に植えた樹木の根元周囲の地面と、前記歩道または広場との境界に配列配設する縁石であって、それら縁石の全部またはいずれかの縁石の、前記樹木の根元に対向する上端縁に、段部を設け、それら段部を設けた縁石の全部またはいずれかの縁石の段部の棚面の先端縁に沿って、かつ、前記段部の壁面と間隔をおいて突部を立設し、
多数の孔を設け、下面の外周縁部に該外周縁に沿って、かつ、前記段部と棚面の突部との間に挿入しうる厚みの突縁を設けた樹木の根元保護盤を、
前記突縁を前記配列配設した縁石の段部に載置し、前記段部に突部を立設した縁石においては、前記保護盤の突縁を前記段部と棚面の突部との間に挿入してその間の棚面に載置し、前記樹木の根元および前記歩道の側方または広場の周縁と間隔を置いて、前記地面を前記保護盤で覆ってなる、縁石と樹木の根元保護盤。
【考案の詳細な説明】
【技術分野】
【０００１】
この考案は、歩道の側方部や広場の周縁部に植えた樹木の根元を囲む縁石に載置した樹木の根元保護盤（以下単に保護盤と言う）が縁石からズレて外れないようにしたズレ防止構造の保護盤と縁石に関するものである。
【背景技術】
【０００２】
一般に歩道の側方部や広場の周縁部に植樹しているが、樹木の根元の周囲は、通水、通気のために舗装しないで地面を露出させている。そして、露出地面の周囲を縁石で囲み、露出地面が歩行者や自転車等で踏み固められないように保護盤で覆っている。
保護盤は、通常複数枚よりなり、特許文献１では、２枚の根元保護盤を相接して並べ、双方の相接する縁部に切り欠き湾入部を設け、２枚の根元保護盤を相接して並べたときに切り欠きの湾入部でＵ字状または半円状の湾入部を形成している。
【特許文献１】意匠登録第５５８１０２号公報        （平面図、正面図、使用状態を示す参考図）
【０００３】
この２枚の保護盤は、樹木の根元の周囲に舗装していない地面と舗装部との境界の縁石に段部を設け、その段部の棚面に、保護盤の縁部を載置して保護盤の裏面と地面との間に空間を設けて、通気、通水を可能にしている。
【０００４】
ところが、経費を節約するために、露出した地面の全面を保護盤で覆わないで、露出地面の内、歩行者等が踏み入りやすい歩道や広場の中心方向の部分を覆い、車道との境界や広場の側方の縁石に沿った部分を覆うのを省略することがよく行われている。
【考案の開示】
【考案が解決しようとする課題】
【０００５】
従来の保護盤は、その縁部を縁石の段部棚面に載置してあるだけであり、歩行者等が保護盤の上に載ることが度重なると、保護盤が縁石の段部棚面でズレて動き、遂には保護盤の縁部が段部棚面から外れ、保護盤がズレ落ちてしまう。
保護盤がズレ落ちると、保護盤の裏面が樹木の根元周囲の地面に接し、通気、通水が悪くなり、保護盤の上を子供等が歩くと地面が固まり樹木の生育を悪くする。
また、保護盤が傾き、歩行者等に危険である。
【課題を解決するための手段】
【０００６】
歩道の側部または広場の周縁部に植えた樹木の根元周囲の地面と、前記歩道または広場との境界に配列配設する縁石であって、それら縁石の全部またはいずれかの縁石の、前記樹木の根元に対向する上端縁に、段部を設け、それら段部を設けた縁石の全部またはいずれかの縁石の段部の棚面の先端縁に沿って、かつ、前記段部の壁面と間隔をおいて突部を立設し、
多数の孔を設け、下面の外周縁部に該外周縁に沿って、かつ、前記段部と棚面の突部との間に挿入しうる厚みの突縁を設けた樹木の根元保護盤を、
前記突縁を前記配列配設した縁石の段部に載置し、前記段部に突部を立設した縁石においては、前記保護盤の突縁を前記段部と棚面の突部との間に挿入してその間の棚面に載置し、前記樹木の根元および前記歩道の側方または広場の周縁と間隔を置いて、前記地面を前記保護盤で覆う。
【考案の効果】
【０００７】
保護盤を縁石の段部の棚面に載置したときに、保護盤の外周縁部下面の突縁が、縁石の段部の壁面と棚面の突部との間に挿入し、保護盤に外力がかかっても、その壁面と突部が保護盤の突縁に当接して、保護盤が段部よりズレ落ちるのを防止する。
また、歩行者に安全である。
【考案を実施するための最良の形態】
【０００８】
図１は配列配設した縁石の平面図である。
歩道１の側方や広場の周辺部に植えた樹木の根元２の周囲に露出した地面３を残して、歩道１や広場と地面３との境界に縁石４を配列配設する。
図中１０は歩道１と車道との境界の縁石である。
【０００９】
縁石の配設の平面形状は、一般に歩道や広場の中央側から見てＵ字状、図１においては、歩道側方からみて逆Ｕ字状、のものが多い。そのＵ字状も、図１に示すものは角張っているが、角のない湾曲したＵ字状のものがある。
【００１０】
図１に示す縁石は、歩道１や広場と地面３の境界の直線部に配設する直状の縁石４と、角部に配設する平面視略扇面状の角（カド）用の縁石４ａとよりなる。この略扇面状は角張っているが、弧状に形成してもよい。
【００１１】
縁石４、４ａを配列配設する場合に樹木の根元に対向する上縁、すなわち、上面と側面との角に段部５を設け、その棚面の、先端縁部上面にその先端縁に平行に突部６を立設する。段部５の壁面と突部６との間に間隔を設ける。
突部６は図に示すように平面視直状のものでも、または直線状で断続する複数のものでもよい。
図１においては、Ｕ字状の底辺部に配設する縁石４にだけ突部６を設けたが、全ての縁石４、４ａに設けてもよい。
【００１２】
図２は配設した縁石４、４ａの段部に２枚の保護盤７、７の外周部下端を載置した状態を示す平面図である。
保護盤７には多数の孔（図示省略）が設けられている。
２枚の保護盤７、７に隣接する樹木２側の角に四分円の切り欠きを設けて円弧状周縁部８を設け、２つの円弧状周縁部８で半円状の湾入周縁を形成している。
そして、円弧状周縁部８と樹木２との間には間隔を設け、その間隔の地面を保護盤７、７で覆わないようにする。
切り欠きは四分円の切り欠きに限定するものではなく、２枚の保護盤を並べたときに、隣接縁部に湾入部が形成される形状であればよい。
【００１３】
保護盤７、７は、図３に示すように、下方周縁に、段部５の壁面と突部６との間隔に挿入しうる厚みの突縁９を設け、全ての縁石の段部の棚面に突縁９を載置し、段部の棚面に突部を設けた縁石においては、段部５の壁面と突部６との間に挿入し、その間の棚面５に突縁９を載置して支持されることを可能とする。
【００１４】
２枚の保護盤７、７は隣接縁部で係止するのが好ましい。
【００１５】
この保護盤７、７の上に歩行者や自転車、荷車等が通過して、保護盤７、７を縁石配列のＵ字状開口方向に押す力が加わっても、保護盤７の下方周縁の突縁９が、縁石４の段部５の突部６で阻げられて、保護盤７の周縁が段部５から脱落するのを防ぐ。
【００１６】
図４は、角用の縁石４ａのＵ字内方向の縁部の段部５の棚面の先端縁に突部６を突設し、図３に示す状態と同様に、保護盤７の突縁９を縁石の段部５の棚面に載置し、かつ、段部の棚面に突部６を設けた縁石においては、段部５の棚面の壁面と突部６の間に保護盤７の突縁９を挿入し、突縁９を段部５の棚面に当接させて保護盤７を縁石で支持した状態を示したものである。
【００１７】
この場合も、保護盤７にＵ字状の開口方向への外力が加わっても、保護盤７の突縁９が縁石４ａの段部の突部に阻止されて、保護盤がＵ字状の開口方向へズレて縁石４および４ａから外れるのを防止する。
【００１８】
図５は、平面視円弧状の縁石４ｂを並べて平面視半円状に配設したもので、縁石４ｂは、円弧状の内方向の縁部に段部５を設け、更に、段部５の棚面の先端部に先端縁に沿って突部６を設ける。
突部６は円弧状の縁石４ｂの全てに設けてもよいが、円弧の中心部に配設する１または複数の縁石４ｂに設ければよい。
図５においては２個の縁石４ｂに突部６を設けている。
この状態に配設した縁石４ｂの段部５の棚面のカーブに対応する周縁部を持つ保護盤７ａの下面周縁に設けた突縁９を段部５の棚面に載置すると、段部５の棚面に設けた突部６と段部５の壁面との間に突縁９が入った状態で、保護盤７ａは段部５の棚面で支持される。図６は保護盤７ａの底面図である。孔は図示省略した。
【００１９】
保護盤７ａに円弧中心方向への外力が加わっても、突縁９が突部６で阻止されて、保護盤７ｂが円弧中心方向へズレるのを防止する。また、保護盤７ａに縁石の円弧に沿って回転させようとする力が加わっても、保護盤７ａの下面周縁の突縁９が縁石の突部６の端面に当接して回転が阻止される。
【図面の簡単な説明】
【００２０】
【図１】樹木の根元の周囲に縁石を配列配設した状態の説明図である。
【図２】前記配設した縁石に保護盤を載置した状態の説明図である。
【図３】Ａ−Ａ断面の拡大端面図である。
【図４】他の縁石を配設し、保護盤を載置した状態の説明図である。
【図５】他の縁石を配設し、保護盤を載置した状態の説明図である。
【図６】保護盤の底面図である。
【符号の説明】
【００２１】
１  歩道
２  樹木の根元
３  地面
４、  ４ａ、４ｂ  縁石
５  段部
６  突部
７、７ａ、  保護盤
８  円弧状周縁部
９  突縁
１０  縁石
【図１】
0003111881.tif 000003
【図２】
0003111881.tif 000004
【図３】
0003111881.tif 000005
【図４】
0003111881.tif 000006
【図５】
0003111881.tif 000007
【図６】
0003111881.tif 000008
【手続補正書】
【提出日】平成17年4月20日(2005.4.20)
【手続補正１】
【補正対象書類名】明細書
【補正対象項目名】０００４
【補正方法】変更
【補正の内容】
【０００４】
ところが、経費を節約するために、特許文献２に示すように、露出した地面の全面を保護盤で覆わないで、露出地面の内、歩行者等が踏み入り易い歩道や広場の中心方向の部分を覆い、車道との境界や広場の側方の縁石に沿った部分を覆うのを省略することがよく行われている。
【特許文献２】意匠登録第８８９３２１の類似１号公報（使用状態を示す参考図）